(57)【要約】【課題】手動により作業する汎用の巻取器を利用する牽引装置でも牽引対象への着脱回数を少なくして、その離隔間隔を短くすることのできる牽引装置を提供すること。【解決手段】牽引対象に固定する牽引ワイヤＷＡ１、ＷＢ１を巻き取って当該牽引対象までの距離を短くする巻取器１００Ａ、１００Ｂの２組を備えており、これら巻取器のそれぞれから延在する牽引ワイヤには、電線端部に繰り返し着脱可能に固定する締付具２００Ａ１、２００Ｂ１がそれぞれ連結される一方、それら巻取器のそれぞれから延在する連結ワイヤＷＡ２、ＷＢ２には他方の電線端部Ｃ２に固定する共通の締付具２００Ｃが連結されている。【選択図】図１
2012161218.tif 000002
【特許請求の範囲】
【請求項１】
延在する紐状部材を巻き取る巻取器を２組備えており、
該第１、第２巻取器の巻き取る前記第１、第２紐状部材には、第１牽引対象に繰り返し着脱可能に固定する第１、第２固定手段がそれぞれ連結される一方、
該第１、第２巻取器に連結されている第３、第４紐状部材には、第２牽引対象に固定する共通の第３固定手段が連結されていることを特徴とする牽引装置。
【請求項２】
前記第３固定手段は、前記第１、第２巻取器の前記第３、第４紐状部材との連結位置を当該延在方向に変更可能な構造を備えることを特徴とする請求項１に記載の牽引装置。
【発明の詳細な説明】
【技術分野】
【０００１】
本発明は、牽引装置に関し、詳しくは、間隔を短くする対象のそれぞれに紐状部材を固定して該紐状部材を牽引するものに関する。
【背景技術】
【０００２】
架線されている電線が強風などで切断してしまった場合には、断線箇所の電線端部同士を接近させて再度接続する必要があり、例えば、特許文献１に記載されているように、レール上を移動する緊張装置（牽引装置）を利用することにより、人力によらずにウィンチで電線端部同士を接近させることが考えられる。その一方では、その緊張装置を利用するのは大掛かりになってしまうために、手動によりワイヤを巻き取る汎用の牽引装置のワイヤ端部を電線に締付固定して牽引することも行われている。
【先行技術文献】
【特許文献】
【０００３】
【特許文献１】実開平５−８６６６８号公報
【発明の概要】
【発明が解決しようとする課題】
【０００４】
このような手動により作業する汎用の牽引装置にあっては、図５に示すように、巻取器１００が巻き取る牽引ワイヤ（紐状部材）Ｗ１の先端部と、その巻取器１００に一端部を連結している連結ワイヤＷ２の他端部と、のそれぞれに締付具（固定手段）２００が連結されている装置構成の道具を利用することが考えられる。この牽引装置では、張力の掛かっている状態で、切断されている電線（牽引対象）Ｃの端部同士を接近する方向に牽引して接続する作業を行う場合には、これら巻取器１００Ａ、１００Ｂの２組を準備する必要がある。
【０００５】
具体的には、巻取器１００Ａの巻き取り側の牽引ワイヤＷＡ１の締付具２００Ａ１を一方の電線Ｃ１端部に締め付ける状態にして固定するとともに、同様に、固定側の連結ワイヤＷＡ２の締付具２００Ａ２を他方の電線Ｃ２端部に締付・固定した後に、その巻取器Ａのレバー１０１を操作して牽引ワイヤＷＡ１を巻き取ることにより、その電線Ｃ１、Ｃ２の端部同士の離隔間隔を短くすることができる。この巻取器Ａの１台のみの牽引ワイヤＷＡ１の巻取量では、電線Ｃ１、Ｃ２の端部同士を接続作業が行なえる程度の間隔まで近接させることはできない場合もある。この場合には、もう一組の巻取器ＢのワイヤＷＢ１、ＷＢ２端部の締付具２００Ｂ１、２００Ｂ２を、途中まで接近させている電線Ｃ１、Ｃ２の端部に締付固定してレバー１０１を操作する同様の作業を繰り返し行なうことにより、その電線Ｃ１、Ｃ２の端部同士を接続する作業をすることができる。
【０００６】
このように汎用の巻取器１００Ａ、１００Ｂを利用する場合には、締付具２００Ａ１、２００Ｂ１と共に、締付具２００Ａ２、２００Ｂ２も先後の位置関係から繰り返し着脱して作業し易い箇所に付け直す必要があり、その作業が煩雑であるという課題があった。
【０００７】
そこで、本発明は、手動により作業する汎用の巻取器を利用する牽引装置でも牽引対象への着脱回数を少なくして、その離隔間隔を短くすることのできる牽引装置を提供することを目的としている。
【課題を解決するための手段】
【０００８】
上記課題を解決する牽引装置の発明の一態様は、延在する紐状部材を巻き取る巻取器を２組備えており、該第１、第２巻取器の巻き取る前記第１、第２紐状部材には、第１牽引対象に繰り返し着脱可能に固定する第１、第２固定手段がそれぞれ連結される一方、該第１、第２巻取器に連結されている第３、第４紐状部材には、第２牽引対象に固定する共通の第３固定手段が連結されていることを特徴とするものである。
【０００９】
この発明の態様では、第１巻取器で巻き取る第１紐状部材の第１固定手段と、第２巻取器で巻き取る第２紐状部材の第２固定手段と、を第１牽引対象に繰り返し着脱して固定するとともに、その第１、第２巻取器に一端側が連結されて延在する前記第３、第４紐状部材の他端側の第３固定手段は第２牽引対象に固定することができる。
【００１０】
したがって、例えば、架線されている電線が切断されたためにその接続作業を行なう場合には、その電線端部同士を接近させる牽引作業を次の手順により行なうことができる。まず、第１巻取器の第１紐状部材の第１固定手段を一方の電線端部側に固定するとともに、第１、第２巻取器の第３、第４紐状部材端部の第３固定手段を他方の電線端部側に固定した状態にして、その第１巻取器により第１紐状部材を巻き取ることにより一方の電線端部側を他方の電線端部側に向かって牽引することができる。この第１巻取器の巻取りが一杯になったときには、続いて第２巻取器の第２紐状部材先端の第２固定手段を一方の電線端部側に固定して牽引作業を再開することができ、この作業を繰り返すことにより電線端部同士を接続作業可能な間隔に接近させることができる。
【発明の効果】
【００１１】
このように本発明の一態様によれば、第１、第２巻取器の第３、第４紐状部材を第２牽引対象に第３固定手段により固定したまま、その第１、第２巻取器の第１、第２紐状部材を第１牽引対象に第１、第２固定手段により繰り返し固定し直して（着脱して）交互に牽引することができる。したがって、例えば、電線端部同士を接近させて接続作業を行なうために牽引作業を行なう必要がある場合には、一方の電線端部側に第３固定手段を固定したまま第１、第２固定手段を他方の電線端部側に交互に固定して牽引作業を繰り返すことができ、第１、第２固定手段の反対側での電線端部側に交互に固定する作業を省略して、簡易に牽引作業を行なうことができる。
【図面の簡単な説明】
【００１２】
【図１】本発明に係る牽引装置の一実施形態を示す図であり、その概略全体構成を示す正面図である。
【図２】その要部構成を示す平面図である。
【図３】その要部構成を示す平面図である。
【図４】その要部構成を示す平面図である。
【図５】その関連技術を示す図であり、その概略全体構成を示す正面図である。
【発明を実施するための形態】
【００１３】
本発明の実施形態としては、上記の課題解決手段のように、延在する紐状部材を巻き取る巻取器を２組備えており、該第１、第２巻取器の巻き取る前記第１、第２紐状部材には、第１牽引対象に繰り返し着脱可能に固定する第１、第２固定手段がそれぞれ連結される一方、該第１、第２巻取器に連結されている第３、第４紐状部材には、第２牽引対象に固定する共通の第３固定手段が連結されていることを基本構成とするのに加えて、次の構成を備えてもよい。
【００１４】
第１の他の態様としては、前記第３固定手段は、前記第１、第２巻取器の前記第３、第４紐状部材との連結位置を当該延在方向に変更可能な構造を備えていてもよい。
【００１５】
この態様では、第３固定手段の第３、第４紐状部材との連結位置を第１、第２巻取器に対して近接・離隔させる方向にずらすことができる。したがって、第１、第２巻取器の操作位置を作業し易い位置に調整することができ、より作業性を向上させることができる。
【００１６】
以下、図面を参照して、本発明の実施形態について詳細に説明する。図１〜図４は本発明に係る牽引装置の一実施形態を示す図である。ここで、本実施形態は図５に示す牽引装置と同様の構成部品を利用していることから、同様の構成には同一の符号を付して説明する。
【００１７】
図１において、牽引装置１０は、切断した電線端部Ｃ１、Ｃ２同士を接近させる方向に牽引して接続作業を行なう際に利用することができるように作製されている。
【００１８】
この牽引装置１０は、図５の牽引装置と同様に、牽引ワイヤＷＡ１を巻き取る巻取器１００Ａと、牽引ワイヤＷＢ１を巻き取る巻取器１００Ｂと、巻取器１００Ａの牽引ワイヤＷＡ１の先端に連結されて電線端部Ｃ１を締め付ける状態にして固定する締付具（固定手段）２００Ａと、巻取器１００Ｂの牽引ワイヤＷＢ１の先端に連結されて電線端部Ｃ２を締め付ける状態にして固定する締付具２００Ｂと、を備えている。また、牽引装置１０は、図５の牽引装置の構成要素に代えて、その巻取器１００Ａ、１００Ｂに一端側が連結される連結ワイヤＷＡ２、ＷＢ２の他端部側にはチャック１１Ａ、１１Ｂおよび補助ワイヤＷＣ１、ＷＣ２を介して他方の電線端部Ｃ２を締め付ける状態にして固定する共通の締付具２００Ｃが連結されている。すなわち、巻取器１００Ａ、１００Ｂが第１、第２巻取器を、牽引ワイヤＷＡ１、ＷＢ１が第１、第２紐状部材を、連結ワイヤＷＡ２、ＷＢ２が第３、第４紐状部材を、締付具２００Ａ、２００Ｂが第１、第２固定手段を、締付具２００Ｃが第３固定手段を構成している。なお、巻取器は、線間の張力を調整するものとして張線器とも言われている。
【００１９】
巻取器１００Ａ、１００Ｂは、図２に示すように、レバー１０１を往復回動させることにより、不図示のラチェット機構を介して牽引ワイヤＷＡ１、ＷＢ１を巻き取るドラムを一方向のみに回転させることができるようになっており、切換爪１０２を正逆方向に回転させて切り換えることにより、牽引ワイヤＷＡ１、ＷＢ１を巻き取って先端側の締付具２００Ａ、２００Ｂを引き寄せるようにして締付固定する牽引対象を牽引することができる一方、巻き取った牽引ワイヤＷＡ１、ＷＢ１を繰り出すことができるようになっている。
【００２０】
なお、この巻取器１００Ａ、１００Ｂは、牽引ワイヤＷＡ１、ＷＢ１の先端と締付具２００Ａ、２００Ｂとを連結具１０３により連結するようになっており、この連結具１０３は、端部に貫通軸１０４ａを備える一対の回転部材１０４と、この回転部材１０４の背面同士を連結する回転軸１０５と、を備えて、一方の回転部材１０４の貫通軸１０４ａには牽引ワイヤＷＡ１、ＷＢ１を巻き掛けて連結するとともに、他方の回転部材１０４の貫通軸１０４ａを後述する締付具２００Ａ、２００Ｂの連結レバー２５０の牽引レバー部２５２の連結穴２５２ａに貫通させて連結するようになっている。また、巻取器１００Ａ、１００Ｂは、連結ワイヤＷＡ２、ＷＢ２の一端部と連結具１１３により連結するようになっており、この連結具１１３は、連結具１０３と同様に、端部に貫通軸１１４ａを備える回転部材１１４の背面側を回転軸１１５で巻取器１００Ａ、１００Ｂに連結することにより回転部材１１４の貫通軸１１４ａに連結ワイヤＷＡ２、ＷＢ２を巻き掛けて連結するようになっている。
【００２１】
締付具２００Ａ、２００Ｂ、２００Ｃは、図３に示すように、本体プレート２１０と、回動プレート２２０と、押し付けプレート２３０と、押さえプレート２４０と、連結レバー２５０と、を備えて構成されている。
【００２２】
本体プレート２１０は、電線Ｃの上部側に乗せるようにして引っ掛けることができるように、本体部２１１の上辺側を一面側に向かってオーバーハング形状になるように突出させている引掛部２１２が形成されており、後述するように、この引掛部２１２に対面するように押し付けプレート２３０が配設されている。
【００２３】
回動プレート２２０は、本体プレート２１０の引掛部２１２から離隔する本体部２１１下部の回動軸２２１に回動自在に軸支されているとともに、その回動軸２２１周りに設置されている不図示のスプリングバネにより引掛部２１２に接近する回動方向に付勢されている。
【００２４】
押し付けプレート２３０は、本体プレート２１０の引掛部２１２に対面して電線Ｃの下部側を乗せるようにして押し付けることができる押付部２３２を備えるとともに、回動プレート２２０の回動軸２２１よりもその引掛部２１２近傍に配設されている回動軸２３１に揺動自在に軸支されている。
【００２５】
これにより、締付具２００Ａ、２００Ｂ、２００Ｃは、本体プレート２１０の引掛部２１２と押し付けプレート２３０の押付部２３２の間に電線Ｃを位置させて引っ掛けて常時押圧力を加えつつ挟み込む状態に取り付けることができる。
【００２６】
押さえプレート２４０は、押し付けプレート２３０の回動軸２３１に回動自在に同軸支持（軸支）されつつ、その押付部２３２と本体プレート２１０の引掛部２１２との間の開口側（本体プレート２１０の本体部２１１の対面側）を閉止する回動方向にその回動軸２３１周りに設置されているスプリングバネによりに付勢されている。また、この押さえプレート２４０は、回動軸２３１付近から挟み込む電線Ｃと平行となる側方に延在されているレバー部２４２が形成されている。
【００２７】
これにより、締付具２００Ａ、２００Ｂ、２００Ｃは、この押さえプレート２４０のレバー部２４２をスプリングバネの付勢力に抗する方向、図中では押し下げる方向に回動させることにより、その押付部２３２と引掛部２１２の間の開口を開放して電線Ｃを間に挟み込ませることができ、また、そのレバー部２４２を開放することにより、押付部２３２と引掛部２１２の間の開口を閉止して挟み込んだ電線Ｃが離脱して外れてしまうことを未然に防止することができる。
【００２８】
連結レバー２５０は、回動プレート２２０の回動軸２２１から押し付けプレート２３０や押さえプレート２４０を軸支する回動軸２３１よりさらに下方に延在させているレバー部２２２端部の回動軸２５１に回動自在に軸支されており、その回動軸２５１から電線Ｃとほぼ平行姿勢となる前後方向に延在する牽引レバー部２５２と解除レバー部２５３を備えている。この連結レバー２５０は、本体プレート２１０の引掛部２１２の回動軸２２１の反対側を下方に延長した延長部２１３を備えており、その延長部２１３の中間部分が図面の表裏方向に離隔して牽引レバー部２５２を挿通させた状態に組み付けることにより、回動軸２５１を中心にして自由に大きく揺動してしまうことが制限されている。また、この連結レバー２５０は、牽引レバー部２５２と解除レバー部２５３の端部に他の部品等を紐状部材により連結することができるように連結穴２５２ａ、２５３ａが形成されており、牽引レバー部２５２の連結穴２５２ａには、巻取器１００Ａ、１００Ｂの牽引ワイヤＷＡ１、ＷＢ１の先端に取り付けた連結具１０３の貫通軸１０４ａを貫通させて連結することができるようになっている。
【００２９】
これにより、締付具２００Ａ、２００Ｂ、２００Ｃは、連結レバー２５０の牽引レバー部２５２を牽引する方向に引いたときには回動プレート２２０が押し付けプレート２３０を上方に移動させる方向に回動されてその押付部２３２と本体プレート２１０の引掛部２１２との間に挟み込む電線Ｃをさらに締め付けてずれないように挟み込む状態にして固定することができる。一方、連結レバー２５０の解除レバー部２５３を牽引する方向に押した（引いてもよい）ときには回動プレート２２０が押し付けプレート２３０を下方に移動させる方向に回動されてその押付部２３２と本体プレート２１０の引掛部２１２との間を離隔させて挟み込む電線Ｃを容易に離脱させて外すことができる。
【００３０】
チャック１１Ａ、１１Ｂは、所謂、胴綱を内部に挿通して連結するとともにスライド自在にすることのできる胴綱保持装置（例えば、藤商管理株式会社製のロリップ（登録商標））と同様の構造に作製されている。具体的には、チャック１１Ａ、１１Ｂは、図４に示すように、連結ワイヤＷＡ２、ＷＢ２を内部に挿通する経路を有している。このチャック１１Ａ、１１Ｂは、その連結ワイヤＷＡ２、ＷＢ２に圧接する方向に付勢されて一方向（図中の左方向）への相対移動を制限する一方、その反対方向（図中の右方向）への相対移動を許容する不図示の圧接駒を内蔵する本体部１２と、この本体部１２と共に握ることによりその内部の圧接駒を連結ワイヤＷＡ２、ＷＢ２から離隔させてスライド自在にする握り部１３と、この握り部１３の一端側に連設されて牽引時には本体部１２内の圧接駒を連結ワイヤＷＡ２、ＷＢ２に圧接させる方向に接近させる連結レバー１４と、を備えており、連結レバー１４の端部には他の部品等を紐状部材により連結することができるように連結穴１４ａが形成されている。なお、チャック１１Ａ、１１Ｂを取り付ける連結ワイヤＷＡ２、ＷＢ２は、巻取器１００Ａ、１００Ｂの反対側には本体部１２から抜けてしまうことがないようにストッパ１５が固設されている。
【００３１】
これにより、チャック１１Ａ、１１Ｂは、連結ワイヤＷＡ２、ＷＢ２を本体部１２内に挿通して前記圧接駒により圧接固定して連結することができるとともに、握り部１３を握ることにより連結ワイヤＷＡ２、ＷＢ２との連結位置をスライドさせることができる。このチャック１１Ａ、１１Ｂは、連結レバー１４の連結穴１４ａには補助ワイヤＷＣ１、ＷＣ２の一端側を巻き掛けて連結するとともに、その補助ワイヤＷＣ１、ＷＣ２の他端側は締付具２００Ｃの連結レバー２５０の牽引レバー部２５２の連結穴２５２ａに引っ掛けた、例えば、カラビナ金具２６０に巻き掛けて連結することができる。なお、図５に示す締付具２００Ａ２、２００Ｂ２は、連結ワイヤＷＡ２、ＷＢ２端部のピッグテイル形状の返し部材２６１を連結レバー２５０の牽引レバー部２５２の連結穴２５２ａに引っ掛けて連結して利用していた。
【００３２】
したがって、牽引装置１０は、巻取器１００Ａ、１００Ｂの牽引ワイヤＷＡ１、ＷＢ１先端の締付具２００Ａ、２００Ｂを電線端部Ｃ１側に着脱可能に締付固定することができ、その電線端部Ｃ１を引き寄せる方向に巻取器１００Ａ、１００Ｂにより交互に牽引することができる。一方、巻取器１００Ａ、１００Ｂの連結ワイヤＷＡ２、ＷＢ２は、チャック１１Ａ、１１Ｂと補助ワイヤＷＣ１、ＷＣ２とを介して締付具２００Ｃに連結して電線端部Ｃ２側に締付固定することができ、その巻取器１００Ａ、１００Ｂとの連結位置はチャック１１Ａ、１１Ｂの握り部１３を握るだけで本体部１２に挿通する連結ワイヤＷＡ２、ＷＢ２との締付固定位置をスライドさせて調整することができる。
【００３３】
このように本実施形態においては、牽引装置１０では、巻取器１００Ａ、１００Ｂの連結ワイヤＷＡ２、ＷＢ２端部側の締付具２００Ｃを電線端部Ｃ２側に締付固定したまま、その巻取器１００Ａ、１００Ｂの牽引ワイヤＷＡ１、ＷＢ１先端の締付具２００Ａ、２００Ｂを交互に牽引することにより、その電線端部Ｃ１側との締付固定位置を変えつつ引き寄せることができ、電線端部Ｃ１、Ｃ２同士の接続作業を迅速かつ容易に開始することができる。このとき、電線端部Ｃ２側に締付具２００Ｃで締付固定する連結ワイヤＷＡ２、ＷＢ２端部側の巻取器１００Ａ、１００Ｂの連結位置はチャック１１Ａ、１１Ｂの握り部１３を握るだけで任意に変更することができ、その作業位置に最適な連結位置に調整してより容易に作業を継続して完了することができる。したがって、電線端部Ｃ２側に締付具２００Ｃを着脱する回数を少なくして、電線端部Ｃ１側との間の離隔間隔を煩雑な作業を繰り返すことなく容易に短くすることができる。
【産業上の利用可能性】
【００３４】
これまで本発明の一実施形態について説明したが、本発明は上述の実施形態に限定されず、その技術的思想の範囲内において種々異なる形態にて実施されてよいことは言うまでもない。
【符号の説明】
【００３５】
１０……牽引装置      １１Ａ、１１Ｂ……チャック      １２……本体部      １３……握り部      １４……連結レバー      １５……ストッパ      １００Ａ、１００Ｂ……巻取器      １０１……レバー      ２００Ａ１、２００Ａ２、２００Ｂ、２００Ｂ１、２００Ｃ……締付具      ２１０……本体プレート      ２１２……引掛部      ２１３……延長部      ２２０……回動プレート      ２３０……押し付けプレート      ２３２……押付部      ２４０……押さえプレート      ２５０……連結レバー      ２５２……牽引レバー部      ２５３……解除レバー部      ２６０……カラビナ金具      Ｃ１、Ｃ２……電線端部      Ｗ２……連結ワイヤ      ＷＡ１、ＷＢ１……牽引ワイヤ      ＷＡ２、ＷＢ２……連結ワイヤ      ＷＣ１、ＷＣ２……補助ワイヤ
【図１】
2012161218.tif 000003
【図２】
2012161218.tif 000004
【図３】
2012161218.tif 000005
【図４】
2012161218.tif 000006
【図５】
2012161218.tif 000007